(57)【要約】【課題】ユーザが所望のタイミングで撮像操作を行うことが可能な携帯電話機を提供する。【解決手段】このカメラ側携帯電話機１００（携帯電話機）は、撮像部１３と、電話通信を行う電話通信部１２と、電話通信部１２により操作側携帯電話機２００に対して電話発信して操作側携帯電話機２００により電話着信することにより通話状態を確立した状態で、操作側携帯電話機２００からの「通話を切る」操作（切断ボタン２６ｂを押下する操作）に基づいて撮像部１３の撮像動作を実行するＣＰＵ１１とを備える。【選択図】図５
2011035716.tif 000002
【特許請求の範囲】
【請求項１】
撮像部と、
電話通信を行う第１通信部と、
前記第１通信部により操作側携帯電話機に対して電話発信して前記操作側携帯電話機により電話着信することにより通話状態を確立した状態で、前記操作側携帯電話機の所定の第１の操作に基づいて前記撮像部の撮像動作を実行する制御部とを備える、携帯電話機。
【請求項２】
前記操作側携帯電話機の前記第１の操作は、ユーザにより前記通話状態を切断する操作を含み、
前記制御部は、前記通話状態にある通信状態が前記ユーザにより前記操作側携帯電話機側から切断されることに基づいて、前記撮像部の撮像動作を実行する制御を行うように構成されている、請求項１に記載の携帯電話機。
【請求項３】
前記操作側携帯電話機は、前記ユーザにより前記通話状態にある通信状態が切断される際に、前記通信状態を終了するための信号を発信するように構成されており、
前記制御部は、前記通信状態を終了するための信号が前記第１通信部により受信された場合に、前記ユーザにより前記通話状態にある通信状態が切断されたことを検知して、前記撮像部の撮像動作を実行する制御を行うように構成されている、請求項２に記載の携帯電話機。
【請求項４】
前記操作側携帯電話機と電話通信以外の方法で通信可能に構成され、前記操作側携帯電話機が有する識別情報を取得可能な第２通信部をさらに備え、
前記制御部は、前記操作側携帯電話機に対して電話発信する際に、前記第２通信部により予め取得された前記識別情報に基づいて前記第１通信部を用いて前記操作側携帯電話機に対して電話発信する制御を行うように構成されている、請求項１〜３のいずれか１項に記載の携帯電話機。
【請求項５】
前記操作側携帯電話機の前記第１の操作は、ユーザにより前記操作側携帯電話機から第１音声信号または第１トーン信号の少なくともいずれかを送信する操作を含み、
前記制御部は、前記操作側携帯電話機との前記通話状態が確立された状態で、前記操作側携帯電話機からの前記第１音声信号または前記第１トーン信号の少なくともいずれかに基づいて、前記撮像部の撮像動作を実行する制御を行うように構成されている、請求項１に記載の携帯電話機。
【請求項６】
前記第１音声信号または前記第１トーン信号の少なくともいずれかを記憶する記憶部をさらに備え、
前記制御部は、前記操作側携帯電話機からの音声信号またはトーン信号の少なくともいずれかが、前記記憶部に記憶された前記第１音声信号または前記第１トーン信号の少なくともいずれかと一致した場合に、前記撮像部の撮像動作を実行する制御を行うように構成されている、請求項５に記載の携帯電話機。
【請求項７】
前記第１音声信号は、所定の音声パターンまたは所定の音量に関する信号である、請求項５または６に記載の携帯電話機。
【請求項８】
前記制御部は、前記操作側携帯電話機からの前記第１の操作とは異なる第２の操作に基づいて、前記撮像部により撮像動作を実行する前に試写画像を撮像するとともに、前記操作側携帯電話機に対して撮像された前記試写画像を送信する制御を行うように構成されている、請求項１〜７のいずれか１項に記載の携帯電話機。
【請求項９】
前記制御部は、前記第２の操作に基づいて前記試写画像を撮像する際、前記第１の操作に基づいて撮像動作を実行する際の画素数よりも小さな画素数で前記試写画像を撮像するとともに、撮像された前記試写画像のデータを圧縮した状態で前記操作側携帯電話機に対して送信する制御を行うように構成されている、請求項８に記載の携帯電話機。
【請求項１０】
前記制御部は、前記試写画像においてユーザにより指定された撮像範囲に関する情報を前記操作側携帯電話機から受信するとともに、前記撮像範囲に関する情報に基づき、前記第１の操作に基づいて撮像動作を実行する際の撮像範囲を設定する制御を行うように構成されている、請求項８または９に記載の携帯電話機。
【請求項１１】
前記操作側携帯電話機の前記第２の操作は、ユーザにより前記操作側携帯電話機から前記第１音声信号とは異なる第２音声信号、または、前記第１トーン信号とは異なる第２トーン信号の少なくともいずれかを送信する操作を含み、
前記制御部は、前記操作側携帯電話機からの前記第２音声信号または前記第２トーン信号の少なくともいずれかに基づいて、前記撮像部により撮像動作を実行する前に試写画像を撮像するとともに、前記操作側携帯電話機に対して撮像された前記試写画像を送信する制御を行うように構成されている、請求項８〜１０のいずれか１項に記載の携帯電話機。
【請求項１２】
操作側携帯電話機と、
撮像部と、電話通信を行う通信部と、前記通信部により操作側携帯電話機に対して電話発信して前記操作側携帯電話機により電話着信することにより通話状態を確立した状態で、前記操作側携帯電話機の所定の操作に基づいて前記撮像部の撮像動作を実行する制御部とを含む撮像側携帯電話機とを備える、携帯電話機を用いた撮像システム。
【請求項１３】
電話通信を行う通信部と撮像部とを含む撮像側携帯電話機から、操作側携帯電話機に対して電話発信して前記操作側携帯電話機により電話着信することにより通話状態を確立するステップと、
前記撮像側携帯電話機と前記操作側携帯電話機との通話状態が確立された状態で、ユーザによる前記操作側携帯電話機の所定の操作に基づいて前記撮像部の撮像動作を実行するステップとを備える、携帯電話機を用いた撮像方法。
【発明の詳細な説明】
【技術分野】
【０００１】
この発明は、携帯電話機、携帯電話機を用いた撮像システムおよび撮像方法に関し、特に、撮像部を備えた携帯電話機、携帯電話機を用いた撮像システムおよび撮像方法に関する。
【背景技術】
【０００２】
従来、撮像部を備えた携帯電話機が知られている（たとえば、特許文献１〜３参照）。
【０００３】
上記特許文献１には、予め登録された電話番号を有する携帯電話機（操作側携帯電話機）からの着信に応答して撮像動作を実行することが可能なカメラ機能を備えた携帯電話機（カメラ側携帯電話機）が開示されている。この携帯電話機では、操作側携帯電話機からの発信（呼び出し信号）を受信して通話状態を確立した後、この状態で操作側携帯電話機からの所定の操作に基づいてカメラ側携帯電話機に撮影を行わせるように構成されている。なお、上記した「通話状態」とは、電話機間の通信回線が接続された状態のことを意味しており、ユーザ同志が音声などにより会話が可能である状態のことを示している。
【０００４】
また、上記特許文献２には、遠隔の携帯電話機（操作側携帯電話機）からの着信に応答して撮像動作を実行することが可能なカメラ付き携帯電話（カメラ側携帯電話機）が開示されている。このカメラ付き携帯電話では、操作側携帯電話機からの発信（呼び出し信号）を受信して通話状態を確立した後、この状態で操作側携帯電話機からの所定の操作に基づいてカメラ側携帯電話機に撮影を行わせるように構成されている。
【０００５】
また、上記特許文献３には、遠隔の操作端末（ＰＣや携帯電話機など）からの操作に基づいて撮像動作を実行することが可能なカメラ付き折り畳み式携帯電話が開示されている。このカメラ付き折り畳み式携帯電話（カメラ側携帯電話機）では、遠隔の操作端末が通信事業者サーバなどにアクセスしている状態で、操作端末側から撮影実行命令などの各種制御コマンドを送信することにより、通信事業者サーバを経由して受信された各種制御コマンドに応じて撮影を行うように構成されている。また、カメラ側携帯電話機によって撮影された画像データは、通信事業者サーバを経由して操作端末側に転送されるように構成されている。なお、上記した端末間の通信には、各種制御コマンドを含むメッセージや撮影後の画像データなどが添付されたメッセージが、任意のタイミングで送受信される方式が適用されている。
【先行技術文献】
【特許文献】
【０００６】
【特許文献１】特開２００５−１０１８６７号公報
【特許文献２】特開２００５−３２３２５４号公報
【特許文献３】特開２００３−２１９０４３号公報
【発明の概要】
【発明が解決しようとする課題】
【０００７】
しかしながら、上記特許文献１および２に記載のカメラ機能を備えた携帯電話機では、操作側携帯電話機からの発信（呼び出し信号）をカメラ側携帯電話機が受信して通話状態を確立した状態で、カメラ側携帯電話機による撮像が行われるように構成されているため、たとえば、操作者側携帯電話機以外の携帯電話機または固定電話機とカメラ側携帯電話機との間に、事前に何らかの通信状態（通話状態）が生じている間は、撮像操作を行いたい操作者側携帯電話機とカメラ側携帯電話機との通信（通話）を確立することができないと考えられる。すなわち、操作者側携帯電話機以外の電話機とカメラ側携帯電話機との間の通信状態が切断されるまで、撮像操作を行いたい操作者側携帯電話機とカメラ側携帯電話機との通信状態が確保できないという不都合がある。このため、ユーザが撮像操作を行いたいタイミングでカメラ側携帯電話機との通信が行えないので、所望のタイミングで撮像操作を行うことができないという問題点がある。
【０００８】
また、上記特許文献３に記載のカメラ付き折り畳み式携帯電話では、各種制御コマンドを含むメッセージの通信事業者サーバを介した送受信に基づいた通信方式により操作端末とカメラ側携帯電話機との通信が行われるように構成されているため、通信事業者サーバにおけるネットワーク遅延などが発生した場合、操作端末からカメラ側携帯電話機に向けた制御コマンドの即時性が実現されないと考えられる。また、メッセージの送受信に基づいた通信方式では、ユーザが操作端末からカメラ側携帯電話機を遠隔操作している最中に、ユーザの操作端末とは異なる第三者からのメッセージ通信や電話通信（電話着信）などがカメラ側携帯電話機に割り込まれて届く場合があるため、操作端末からの遠隔操作が一時的に中断されてしまうと考えられる。このため、ユーザが撮像操作を行いたいタイミングでカメラ側携帯電話機との通信が行えない分、所望のタイミングで撮像操作を行うことができないという問題点がある。
【０００９】
この発明は、上記のような課題を解決するためになされたものであり、この発明の１つの目的は、ユーザが所望のタイミングで撮像操作を行うことが可能な携帯電話機、携帯電話機を用いた撮像システムおよび撮像方法を提供することである。
【課題を解決するための手段および発明の効果】
【００１０】
この発明の第１の局面による携帯電話機は、撮像部と、電話通信を行う第１通信部と、第１通信部により操作側携帯電話機に対して電話発信して操作側携帯電話機により電話着信することにより通話状態を確立した状態で、操作側携帯電話機の所定の第１の操作に基づいて撮像部の撮像動作を実行する制御部とを備える。
【００１１】
この発明の第１の局面による携帯電話機では、上記のように、第１通信部により操作側携帯電話機に対して電話発信して操作側携帯電話機により電話着信することにより通話状態を確立した状態で、操作側携帯電話機の所定の第１の操作に基づいて撮像部の撮像動作を実行する制御部を備えることによって、ユーザが撮像側の携帯電話機に対して撮像動作を実行させる際に、撮像側の携帯電話機が発信元となり操作側携帯電話機に電話発信して通信状態（通話状態）が確立されるので、撮像側の携帯電話機から発信して操作側携帯電話機との間で通話状態になるまでの間に、撮像側の携帯電話機に通信の割り込みが発生するのを抑制することができるとともに、通話状態確立後も、割り込みなどにより通話状態が中断されることがない。これにより、ユーザは、撮像側の携帯電話機からの発信後は、割り込みなどに中断されることなく、撮像側の携帯電話機を確実に独占した状態で撮像動作を実行させることができるので、ユーザは、所望のタイミングで撮像操作を行うことができる。
【００１２】
上記第１の局面による携帯電話機において、好ましくは、操作側携帯電話機の第１の操作は、ユーザにより通話状態を切断する操作を含み、制御部は、通話状態にある通信状態がユーザにより操作側携帯電話機側から切断されることに基づいて、撮像部の撮像動作を実行する制御を行うように構成されている。このように構成すれば、操作側携帯電話機側からの「通話を切る」という一般的な操作をトリガとして、撮像側の携帯電話機に対して撮像動作を容易に実行させることができる。
【００１３】
この場合、好ましくは、操作側携帯電話機は、ユーザにより通話状態にある通信状態が切断される際に、通信状態を終了するための信号を発信するように構成されており、制御部は、通信状態を終了するための信号が第１通信部により受信された場合に、ユーザにより通話状態にある通信状態が切断されたことを検知して、撮像部の撮像動作を実行する制御を行うように構成されている。このように構成すれば、ユーザによる「通話を切る」という操作が操作側携帯電話機側で「通信状態を終了するための信号」に変換された後、この「通信状態を終了するための信号」を受信した撮像側の携帯電話機が、「通信状態を終了するための信号」を撮像部の撮像動作を実行する命令として認識するので、携帯電話機間の通信を利用して確実に撮像動作を実行させることができる。
【００１４】
上記第１の局面による携帯電話機において、好ましくは、操作側携帯電話機と電話通信以外の方法で通信可能に構成され、操作側携帯電話機が有する識別情報を取得可能な第２通信部をさらに備え、制御部は、操作側携帯電話機に対して電話発信する際に、第２通信部により予め取得された識別情報に基づいて第１通信部を用いて操作側携帯電話機に対して電話発信する制御を行うように構成されている。このように構成すれば、撮像側の携帯電話機から操作側携帯電話機に電話発信する（ダイヤルをかける）際に、第２通信部により予め取得された識別情報（電話番号など）に基づいて電話発信することができるので、ユーザが撮像側の携帯電話機に対して手動で電話発信操作を行う必要がない分、ユーザ操作に負担が掛かるのを抑制することができる。
【００１５】
上記第１の局面による携帯電話機において、好ましくは、操作側携帯電話機の第１の操作は、ユーザにより操作側携帯電話機から第１音声信号または第１トーン信号の少なくともいずれかを送信する操作を含み、制御部は、操作側携帯電話機との通話状態が確立された状態で、操作側携帯電話機からの第１音声信号または第１トーン信号の少なくともいずれかに基づいて、撮像部の撮像動作を実行する制御を行うように構成されている。このように構成すれば、たとえば、ユーザが所定の掛け声などの第１音声信号を発するか、または、操作側携帯電話機を操作して第１トーン信号を送信することにより、第１音声信号または第１トーン信号の受信動作をトリガとして、撮像側の携帯電話機に対して容易に撮像動作を実行させることができる。
【００１６】
この場合、好ましくは、第１音声信号または第１トーン信号の少なくともいずれかを記憶する記憶部をさらに備え、制御部は、操作側携帯電話機からの音声信号またはトーン信号の少なくともいずれかが、記憶部に記憶された第１音声信号または第１トーン信号の少なくともいずれかと一致した場合に、撮像部の撮像動作を実行する制御を行うように構成されている。このように構成すれば、制御部が、記憶部に記憶された第１音声信号または第１トーン信号と、操作側携帯電話機から受信した音声信号またはトーン信号とを比較するだけで、撮像動作を実行するための第１音声信号または第１トーン信号を容易に区別した後に、撮像部に撮像動作を実行させることができる。
【００１７】
上記所定の操作が操作側携帯電話機から第１音声信号を送信する操作を含む構成において、好ましくは、第１音声信号は、所定の音声パターンまたは所定の音量に関する信号である。このように構成すれば、たとえば、ユーザが所定の音量を有する何らかの音声を発するだけで撮像部に撮像動作を容易に実行させることができる。また、ユーザが撮像したいタイミングに合わせて掛け声などの所定の音声パターンを発する場合でも、撮像部に撮像動作を実行させることができる。
【００１８】
上記第１の局面による携帯電話機において、好ましくは、制御部は、操作側携帯電話機からの第１の操作とは異なる第２の操作に基づいて、撮像部により撮像動作を実行する前に試写画像を撮像するとともに、操作側携帯電話機に対して撮像された試写画像を送信する制御を行うように構成されている。このように構成すれば、第２の操作により撮像動作を実行する前に、前もって試写画像を操作側携帯電話機側で取得することができるので、ユーザがこの試写画像を確認しながら撮像側の携帯電話機または被写体の位置や角度を適宜調整することができる。
【００１９】
この場合、好ましくは、制御部は、第２の操作に基づいて試写画像を撮像する際、第１の操作に基づいて撮像動作を実行する際の画素数よりも小さな画素数で試写画像を撮像するとともに、撮像された試写画像のデータを圧縮した状態で操作側携帯電話機に対して送信する制御を行うように構成されている。このように構成すれば、試写画像のデータ送信量を少なくすることができるので、その分、データ送信に要する時間を短縮することができる。これにより、試写画像による確認をより迅速に行うことができる。
【００２０】
上記撮像部により撮像動作を実行する前に試写画像を撮像する構成において、好ましくは、制御部は、試写画像においてユーザにより指定された撮像範囲に関する情報を操作側携帯電話機から受信するとともに、撮像範囲に関する情報に基づき、第１の操作に基づいて撮像動作を実行する際の撮像範囲を設定する制御を行うように構成されている。このように構成すれば、ユーザが試写画像を見て撮像したい撮像範囲を選択した後、選択された撮像範囲に関する情報を撮像側の携帯電話機に送信することができるので、第１の操作に基づいて撮像動作を実行する際に、ユーザが所望する撮像範囲を撮像させることができる。
【００２１】
上記制御部が、操作側携帯電話機からの第２の操作に基づいて撮像動作を実行する前に試写画像を撮像する構成において、好ましくは、操作側携帯電話機の第２の操作は、ユーザにより操作側携帯電話機から第１音声信号とは異なる第２音声信号、または、第１トーン信号とは異なる第２トーン信号の少なくともいずれかを送信する操作を含み、制御部は、操作側携帯電話機からの第２音声信号または第２トーン信号の少なくともいずれかに基づいて、撮像部により撮像動作を実行する前に試写画像を撮像するとともに、操作側携帯電話機に対して撮像された試写画像を送信する制御を行うように構成されている。このように構成すれば、第１音声信号とは異なる第２音声信号、または、第１トーン信号とは異なる第２トーン信号の少なくともいずれかを用いて、容易に試写画像を操作側携帯電話機側で取得することができる。
【００２２】
この発明の第２の局面による携帯電話機を用いた撮像システムは、操作側携帯電話機と、撮像部と、電話通信を行う通信部と、通信部により操作側携帯電話機に対して電話発信して操作側携帯電話機により電話着信することにより通話状態を確立した状態で、操作側携帯電話機の所定の操作に基づいて撮像部の撮像動作を実行する制御部とを含む撮像側携帯電話機とを備える。
【００２３】
この発明の第２の局面による携帯電話機を用いた撮像システムでは、上記のように、操作側携帯電話機と、通信部により操作側携帯電話機に対して電話発信して操作側携帯電話機により電話着信することにより通話状態を確立した状態で、操作側携帯電話機の所定の操作に基づいて撮像部の撮像動作を実行する制御部を含む撮像側携帯電話機とを備えることによって、ユーザが撮像側の携帯電話機に対して撮像動作を実行させる際に、撮像側の携帯電話機が発信元となり操作側携帯電話機に電話発信して通信状態（通話状態）が確立されるので、撮像側の携帯電話機から発信して操作側携帯電話機との間で通話状態になるまでの間に、撮像側の携帯電話機に通信の割り込みが発生するのを抑制することができるとともに、通話状態確立後も、割り込みなどにより通話状態が中断されることがない。これにより、ユーザは、撮像側の携帯電話機からの発信後は、割り込みなどに中断されることなく、撮像側の携帯電話機を確実に独占した状態で撮像動作を実行させることができるので、ユーザは、所望のタイミングで撮像操作を行うことができる。
【００２４】
この発明の第３の局面による携帯電話機を用いた撮像方法は、電話通信を行う通信部と撮像部とを含む撮像側携帯電話機から、操作側携帯電話機に対して電話発信して操作側携帯電話機により電話着信することにより通話状態を確立するステップと、撮像側携帯電話機と操作側携帯電話機との通話状態が確立された状態で、ユーザによる操作側携帯電話機の所定の操作に基づいて撮像部の撮像動作を実行するステップとを備える。
【００２５】
この発明の第３の局面による携帯電話機を用いた撮像方法では、上記のように、撮像部を含む撮像側携帯電話機から、操作側携帯電話機に対して電話発信して操作側携帯電話機により電話着信することにより通話状態を確立するステップと、撮像側携帯電話機と操作側携帯電話機との通話状態が確立された状態で、ユーザによる操作側携帯電話機の所定の操作に基づいて撮像部の撮像動作を実行するステップとを備えることによって、ユーザが撮像側の携帯電話機に対して撮像動作を実行させる際に、撮像側の携帯電話機が発信元となり操作側携帯電話機に電話発信して通信状態（通話状態）が確立されるので、撮像側の携帯電話機から発信して操作側携帯電話機との間で通話状態になるまでの間に、撮像側の携帯電話機に通信の割り込みが発生するのを抑制することができるとともに、通話状態確立後も、割り込みなどにより通話状態が中断されることがない。これにより、ユーザは、撮像側の携帯電話機からの発信後は、割り込みなどに中断されることなく、撮像側の携帯電話機を確実に独占した状態で撮像動作を実行させることができるので、ユーザは、所望のタイミングで撮像操作を行うことができる。
【図面の簡単な説明】
【００２６】
【図１】本発明の第１実施形態によるカメラ側携帯電話機を用いた撮像システムの全体構成を示した図である。
【図２】本発明の第１実施形態によるカメラ側携帯電話機を説明するためのブロック図である。
【図３】図１に示した操作側携帯電話機を説明するためのブロック図である。
【図４】本発明の第１実施形態によるカメラ側携帯電話機を用いた撮像動作を説明するための図である。
【図５】本発明の第１実施形態によるカメラ側携帯電話機の撮像動作を説明するための制御フロー図である。
【図６】本発明の第２実施形態によるカメラ側携帯電話機の撮像動作を説明するための制御フロー図である。
【図７】本発明の第２実施形態の変形例によるカメラ側携帯電話機を説明するためのブロック図である。
【図８】図７に示したカメラ側携帯電話機により撮像されるプレビュー画像を説明するための図である。
【図９】図７に示したカメラ側携帯電話機により撮像される撮像画像を説明するための図である。
【図１０】本発明の第２実施形態の変形例によるカメラ側携帯電話機の撮像動作を説明するための制御フロー図である。
【図１１】本発明の第２実施形態の変形例によるカメラ側携帯電話機の撮像動作を説明するための制御フロー図である。
【発明を実施するための形態】
【００２７】
以下、本発明の実施形態を図面に基づいて説明する。
【００２８】
（第１実施形態）
まず、図１〜図４を参照して、本発明の第１実施形態によるカメラ側携帯電話機１００および操作側携帯電話機２００からなる撮像システムの構成について説明する。なお、カメラ側携帯電話機１００は、本発明の「携帯電話機」および「撮像側携帯電話機」の一例である。
【００２９】
本発明の第１実施形態による携帯電話機を用いた撮像システムは、図１に示すように、三脚６０に設置可能に構成され、撮像範囲５０内の被写体５１を撮像するカメラ側携帯電話機１００と、カメラ側携帯電話機１００を遠隔操作可能な操作側携帯電話機２００とにより構成されている。また、第１実施形態による撮像システムでは、後述する「リモート撮影モード」において遠隔操作を行う操作側携帯電話機２００が、カメラ側携帯電話機１００側に「操作側携帯電話機」として予め登録されている。
【００３０】
まず、カメラ側携帯電話機１００は、図２に示すように、ＣＰＵ１１と、電話通信部１２と、撮像を行う撮像部１３と、ＩＲ（赤外線）通信部１４およびＢｌｕｅｔｏｏｔｈ通信部１５（「Ｂｌｕｅｔｏｏｔｈ」は登録商標）と、不揮発性メモリ１６と、入力部１７と、表示部１８と、スピーカ１９と、マイク２０とを備えた撮像機能（カメラ機能）を有する携帯電話機である。なお、ＣＰＵ１１は、本発明の「制御部」の一例であり、電話通信部１２は、本発明の「第１通信部」の一例である。また、ＩＲ（赤外線）通信部１４およびＢｌｕｅｔｏｏｔｈ通信部１５は、それぞれ、本発明の「第２通信部」の一例である。
【００３１】
ＣＰＵ１１は、カメラ側携帯電話機１００の制御を司る機能を有している。また、電話通信部１２は、携帯電話会社の基地局（図示せず）と電波を送受信可能に構成されており、基地局を介して操作側携帯電話機２００（図１参照）などの他の外線電話機と無線電話通信、データ通信およびテレビ電話通信などを行うことが可能なように構成されている。
【００３２】
ＩＲ通信部１４およびＢｌｕｅｔｏｏｔｈ通信部１５は、それぞれ、操作側携帯電話機２００（図１および図３参照）などの外部機器と無線電話通信とは異なる無線通信を用いてデータの送受信を行うことが可能なように構成されている。具体的には、ＩＲ通信部１４は、赤外線通信により外部機器とのデータの送受信を行うとともに、Ｂｌｕｅｔｏｏｔｈ通信部１５は、Ｂｌｕｅｔｏｏｔｈ規格に定める近距離無線通信を行いながら外部機器とのデータの送受信を行うように構成されている。これにより、ＩＲ通信部１４およびＢｌｕｅｔｏｏｔｈ通信部１５を介して操作側携帯電話機２００の電話番号およびメールアドレスなどが取得される一方、カメラ側携帯電話機１００自身の電話番号およびメールアドレスなどが外部機器に送信されるように構成されている。
【００３３】
また、不揮発性メモリ１６は、カメラ側携帯電話機１００自身の電話番号、操作側携帯電話機２００などの他の携帯電話機の電話番号、ＣＰＵ１１の制御プログラム、および、撮像部１３により撮像された画像など各種データを格納する機能を有している。
【００３４】
また、入力部１７は、着信時に押下して通話を確立するための通話接続ボタン１７ａ、通話を終了する際に押下する切断ボタン１７ｂ、電話番号のダイヤル入力時に押下するダイヤルボタン１７ｃ（「０」〜「９」、「＊」および「＃」ボタン）、および、選択操作ボタン１７ｄなどの複数のボタンにより構成されている。また、選択操作ボタン１７ｄは、ユーザ４０が押下することにより、表示部１８に表示される操作画面の各種操作を行うボタンである。たとえば、ユーザ４０が選択操作ボタン１７ｄにより所定の操作を行うことにより、カメラ側携帯電話機１００（ＣＰＵ１１）を後述する「リモート撮影モード」に切り換えることが可能に構成されている。また、この選択操作ボタン１７ｄにより、不揮発性メモリ１６に記憶された電話帳記憶部１６ａに登録されている複数の識別情報（電話番号など）から遠隔撮影に用いる操作側携帯電話機２００の識別情報を選択することが可能とされている。
【００３５】
また、表示部１８は、ユーザ４０がカメラ側携帯電話機１００を操作する際の操作画面や、撮像部１３により撮像された画像などを表示する機能を有している。また、スピーカ１９は、電話通信部１２を介して受信した音声やＣＰＵ１１から入力された音声を出力する機能を有している。また、マイク２０は、音声を電気信号に変換してＣＰＵ１１などに対して出力する機能を有している。
【００３６】
次に、操作側携帯電話機２００は、上述したカメラ側携帯電話機１００と略同様に構成されている。具体的には、図３に示すように、操作側携帯電話機２００は、ＣＰＵ２１と、電話通信部２２と、ＩＲ（赤外線）通信部２３およびＢｌｕｅｔｏｏｔｈ通信部２４と、不揮発性メモリ２５と、入力部２６と、表示部２７と、スピーカ２８と、マイク２９とを備えている。
【００３７】
ＣＰＵ２１は、操作側携帯電話機２００の制御を司る機能を有している。なお、ＣＰＵ２１は、カメラ側携帯電話機１００との通話が確立された状態で、マイク２９から入力された音声信号などを電話通信部２２を介してカメラ側携帯電話機１００に送信する機能を有している。また、電話通信部２２は、携帯電話会社の基地局（図示せず）と電波を送受信可能に構成されており、基地局を介してカメラ側携帯電話機１００（図２参照）などの他の外線電話機と電話通信、データ通信およびテレビ電話通信などを行えるように構成されている。
【００３８】
ＩＲ通信部２３およびＢｌｕｅｔｏｏｔｈ通信部２４は、それぞれ、カメラ側携帯電話機１００などの外部機器と無線通信（赤外線通信およびＢｌｕｅｔｏｏｔｈ規格に基づく近距離無線通信）を用いてデータの送受信を行うことが可能である。すなわち、ＩＲ通信部２３およびＢｌｕｅｔｏｏｔｈ通信部２４は、カメラ側携帯電話機１００の電話番号およびメールアドレスなどを受信するとともに、自己の電話番号およびメールアドレスなどを、接続先の外部機器（カメラ側携帯電話機１００など）に送信する機能を有している。
【００３９】
また、Ｂｌｕｅｔｏｏｔｈ通信部２４は、カメラ側携帯電話機１００のＢｌｕｅｔｏｏｔｈ通信部１５とのデータ通信が相互に行えるように、予めペアリングパスキーを設定可能に構成されている。これにより、予め、Ｂｌｕｅｔｏｏｔｈ通信部１５と２４とに対してペアリングパスキーが設定されている場合、操作側携帯電話機２００の電話番号およびメールアドレスなどの識別情報を、カメラ側携帯電話機１００に送信することが可能とされている。
【００４０】
また、不揮発性メモリ２５は、操作側携帯電話機２００自身の電話番号およびメールアドレス、カメラ側携帯電話機１００などの他の携帯電話機の電話番号、および、ＣＰＵ２１の制御プログラムなど各種データを格納する機能を有している。
【００４１】
また、入力部２６は、通話接続ボタン２６ａ、切断ボタン２６ｂ、ダイヤルボタン２６ｃ（「０」〜「９」、「＊」および「＃」ボタン）、および、選択操作ボタン２６ｄなどにより構成されている。なお、ダイヤルボタン２６ｃはダイヤル入力を行う際に使用されるのに加えて、ボタン押下時に個々のボタンに対応して発生したトーン信号が、操作側携帯電話機２００からカメラ側携帯電話機１００に対して送信されるように構成されている。また、選択操作ボタン２６ｄは、ユーザ４０が押下することにより、表示部２７に表示される操作画面における各種操作（操作項目の選択など）を行うボタンである。また、ユーザ４０は、選択操作ボタン２６ｄを用いて、カメラ側携帯電話機１００に操作側携帯電話機２００の識別情報（電話番号）を送信するために、ＩＲ通信部２３（赤外線通信機能）およびＢｌｕｅｔｏｏｔｈ通信部２４（Ｂｌｕｅｔｏｏｔｈ通信機能）を起動させる操作などを行うことが可能である。
【００４２】
また、表示部２７は、ユーザ４０が操作側携帯電話機２００を操作する際の操作画面などを表示する機能を有している。また、スピーカ２８は、電話通信部２２を介して受信した音声やＣＰＵ２１から入力された音声を出力する機能を有している。また、マイク２９は、音声を電気信号に変換してＣＰＵ２１などに対して出力する機能を有している。
【００４３】
ここで、第１実施形態では、図１に示すように、ユーザ４０により、カメラ側携帯電話機１００が「リモート撮影モード」に設定された場合、カメラ側携帯電話機１００のＣＰＵ１１（図２参照）は所定のタイミングでユーザ４０が所有する操作側携帯電話機２００に対して電話発信を行うように構成されている。そして、電話着信された操作側携帯電話機２００とカメラ側携帯電話機１００との通話状態が確立された状態で、たとえば、ユーザ４０が操作側携帯電話機２００の切断ボタン２６ｂを押下する操作を行った場合、カメラ側携帯電話機１００のＣＰＵ１１（図２参照）は、切断ボタン２６ｂの押下に基づいて、撮像部１３のシャッタを切る制御を行うように構成されている。なお、切断ボタン２６ｂを押下する操作は、本発明の「第１の操作」および「所定の操作」の一例である。すなわち、第１実施形態では、操作側携帯電話機２００における「通話を切る」という操作をトリガとして、カメラ側携帯電話機１００に撮像動作（シャッタを切る動作）を実行させるように構成されている。
【００４４】
次に、図１〜図５を参照して、本発明の第１実施形態による「リモート撮影モード」におけるカメラ側携帯電話機１００の撮像動作の制御フローについて説明する。
【００４５】
まず、第１実施形態による「リモート撮影モード」でのカメラ側携帯電話機１００の撮像動作の概要を説明する。図１に示すように、ユーザ４０により、カメラ側携帯電話機１００が「リモート撮影モード」に設定されると、カメラ側携帯電話機１００から操作側携帯電話機２００に対して電話発信される。その後、ユーザ４０は、操作側携帯電話機２００においてカメラ側携帯電話機１００からの着信信号に基づいて通話を確立する。この状態で、図４に示すように、ユーザ４０がカメラ側携帯電話機１００の撮像範囲５０内に移動した後、所定のタイミングで操作側携帯電話機２００の切断ボタン２６ｂ（図３参照）を押下することにより、カメラ側携帯電話機１００の撮像部１３による撮像動作が実行される。
【００４６】
次に、「リモート撮影モード」におけるカメラ側携帯電話機１００の制御フローの詳細を説明する。
【００４７】
まず、図５に示すように、ステップＳ１において、ユーザ４０が選択操作ボタン１７ｄ（図１参照）を操作することにより、カメラ側携帯電話機１００が「リモート撮影モード」に切り換えられる。これにより、ＣＰＵ１１（図２参照）による「リモート撮影モード」が開始される。
【００４８】
次に、ステップＳ２〜Ｓ８では、通信先（操作側携帯電話機２００（図１参照））を特定する処理が行われる。すなわち、ステップＳ２において、ＣＰＵ１１により、Ｂｌｕｅｔｏｏｔｈ通信部１５が有効か否かが判断される。Ｂｌｕｅｔｏｏｔｈ機能が無効である場合には、ステップＳ５に移行する。Ｂｌｕｅｔｏｏｔｈ機能が有効である場合には、ステップＳ３に進み、カメラ側携帯電話機１００の通信範囲内にあるＢｌｕｅｔｏｏｔｈ機器（操作側携帯電話機２００）の検索を行う。具体的には、Ｂｌｕｅｔｏｏｔｈ通信部１５に予めペアリングパスキーが設定されている場合に、Ｂｌｕｅｔｏｏｔｈ通信部１５と同一のペアリングパスキーが設定されているＢｌｕｅｔｏｏｔｈ通信部２４（図３参照）を有する操作側携帯電話機２００の存在が検索される。カメラ側携帯電話機１００の通信可能範囲内に操作側携帯電話機２００が存在する場合には、操作側携帯電話機２００が接続可能なデバイスとして認識されるとともに、操作側携帯電話機２００のＢｌｕｅｔｏｏｔｈ通信部２４を介して操作側携帯電話機２００の電話番号および電子メールアドレスなどの識別情報が受信される。一方、操作側携帯電話機２００がカメラ側携帯電話機１００の通信範囲内に無い場合や、操作側携帯電話機２００のＢｌｕｅｔｏｏｔｈ通信部２４にペアリングパスキーが設定されていない場合などには、操作側携帯電話機２００の電話番号およびメールアドレスなどの識別情報は受信されない。
【００４９】
ステップＳ４では、ＣＰＵ１１により、Ｂｌｕｅｔｏｏｔｈ通信部１５を介して操作側携帯電話機２００の電話番号およびメールアドレスなどの識別情報が受信されたか否かが判断される。操作側携帯電話機２００の識別情報が受信された場合には、ステップＳ９に進む。一方、操作側携帯電話機２００の識別情報が受信されない場合には、ステップＳ５に進む。
【００５０】
ステップＳ５では、ＣＰＵ１１により、ＩＲ通信部１４が有効か否かが判断される。すなわち、ＩＲ通信機能が無効である場合には、ステップＳ８に進む。一方、ＩＲ通信機能が有効である場合には、ステップＳ６に進み、カメラ側携帯電話機１００の通信範囲内にあるＩＲ通信機器（操作側携帯電話機２００）の検索を行う。具体的には、操作側携帯電話機２００のＩＲ通信部２３（図３参照）がユーザ４０の操作に基づいて起動されるとともに操作側携帯電話機２００の識別情報（電話番号）を送信可能な状態になった場合に、カメラ側携帯電話機１００のＩＲ通信部１４からデータ要求送信がされる。カメラ側携帯電話機１００の通信可能範囲内に操作側携帯電話機２００が存在する場合には、操作側携帯電話機２００のＩＲ通信部２３を介して赤外線通信によって操作側携帯電話機２００の電話番号およびメールアドレスなどの識別情報が受信される。一方、操作側携帯電話機２００がＩＲ通信の可能な範囲内に無い場合や、操作側携帯電話機２００のＩＲ通信機能が無効である場合には、操作側携帯電話機２００から操作側携帯電話機２００の識別情報は受信されない。
【００５１】
ステップＳ７では、ＣＰＵ１１により、ＩＲ通信部１４を介して操作側携帯電話機２００の電話番号およびメールアドレスなどの識別情報が受信されたか否かが判断される。すなわち、カメラ側携帯電話機１００のＩＲ通信部１４によるデータ要求送信に応じて、操作側携帯電話機２００のＩＲ通信部２３からカメラ側携帯電話機１００のＩＲ通信部１４に操作側携帯電話機２００の電話番号およびメールアドレスなどの識別情報が送信されたか否かが判断される。操作側携帯電話機２００の識別情報がＩＲ通信部１４を介して受信された場合には、ステップＳ９に進む。一方、操作側携帯電話機２００の識別情報がＩＲ通信部１４を介して受信されない場合には、ステップＳ８に進む。
【００５２】
ステップＳ８では、ユーザ４０が入力部１７を介してカメラ側携帯電話機１００の不揮発性メモリ１６に記憶されたデータ（電話帳データ）を検索することによって、操作側携帯電話機２００の電話番号を選択する。このようにして、操作側携帯電話機２００の識別情報が特定された後、次のステップＳ９に進む。
【００５３】
ここで、第１実施形態では、ステップＳ９において、ＣＰＵ１１により、カメラ側携帯電話機１００から操作側携帯電話機２００に対してダイヤル発信（電話発信）が行われる。そして、ステップＳ１０では、操作側携帯電話機２００との通話が確立されたか否かが判断される。すなわち、カメラ側携帯電話機１００からの着信信号に基づいて、ユーザ４０が操作側携帯電話機２００の通話接続ボタン２６ａ（図３参照）を押下した場合、カメラ側携帯電話機１００と操作側携帯電話機２００との通話が確立される。
【００５４】
ステップＳ１０において操作側携帯電話機２００との通話状態が確立されたと判断された場合、ステップＳ１１では、ＣＰＵ１１により、現在確立されている通話状態が切断されたか否かが判断される。すなわち、ユーザ４０により操作側携帯電話機２００から切断ボタン２６ｂ（図３参照）が押下されたことを示す「通話終了信号」が受信されたか否かが判断される。なお、切断ボタン２６ｂが押下されたことを示す「通話終了信号」が受信されない場合は、ステップＳ１１の判断を繰り返すことにより、通話状態が継続される。なお、通話終了信号は、本発明の「通信状態を終了するための信号」の一例である。
【００５５】
また、第１実施形態では、ステップＳ１１において、切断ボタン２６ｂが押下されたことを示す信号（通話終了信号）が受信された場合、ステップＳ１２において、受信した「通話終了信号」をトリガとして、ＣＰＵ１１により撮像部１３の撮像動作が実行される。これにより、被写体５１（図４参照）が撮像された画像データが不揮発性メモリ１６（図１参照）に保存される。なお、撮像後は、「通話終了信号」の受信に基づいて、ＣＰＵ１１により、操作側携帯電話機２００との通話が切断される。
【００５６】
その後、ステップＳ１３において、ＣＰＵ１１により「リモート撮影モード」が解除される。以上により、第１実施形態によるカメラ側携帯電話機１００の「リモート撮影モード」における撮像動作の制御フローが終了する。
【００５７】
第１実施形態では、上記のように、電話通信部１２により操作側携帯電話機２００に対して電話発信して操作側携帯電話機２００により電話着信することにより通話状態を確立した状態で、操作側携帯電話機２００の所定の操作（通話状態を切断する操作）に基づいて撮像部１３の撮像動作を実行するＣＰＵ１１を備えている。すなわち、ユーザ４０がカメラ側携帯電話機１００に対して撮像動作を実行させる際に、カメラ側携帯電話機１００が発信元となり操作側携帯電話機２００に電話発信して通信状態（通話状態）が確立されるので、カメラ側携帯電話機１００から発信して操作側携帯電話機２００との間で通話状態になるまでの間に、カメラ側携帯電話機１００に通信の割り込みが発生するのを抑制することができるとともに、通話状態確立後も、割り込みなどにより通話状態が中断されることがない。これにより、ユーザ４０は、カメラ側携帯電話機１００からの発信後は、割り込みなどに中断されることなく、カメラ側携帯電話機１００を確実に独占した状態で撮像動作を実行させることができるので、ユーザ４０は、所望のタイミングで撮像操作を行うことができる。
【００５８】
また、第１実施形態では、ＣＰＵ１１を、通話状態にある通信状態がユーザ４０により操作側携帯電話機２００側から切断されることに基づいて、撮像部１３の撮像動作を実行する制御を行うように構成することによって、操作側携帯電話機２００側からの「通話を切る」という一般的な操作をトリガとして、カメラ側携帯電話機１００に対して撮像動作を容易に実行させることができる。
【００５９】
また、第１実施形態では、ＣＰＵ１１を、通信状態を終了するための「通話終了信号」が電話通信部１２により受信された場合に、ユーザ４０により通話状態にある通信状態が切断されたことを検知して、撮像部１３の撮像動作を実行する制御を行うように構成することによって、ユーザ４０による「通話を切る」という操作が操作側携帯電話機２００側で「通話終了信号」（通信状態を終了するための信号）に変換された後、この「通話終了信号」を受信したカメラ側携帯電話機１００が、「通話終了信号」を撮像部１３の撮像動作を実行する命令として認識するので、携帯電話機間の通信を利用して確実に撮像動作を実行させることができる。
【００６０】
また、第１実施形態では、ＣＰＵ１１を、操作側携帯電話機２００に対して電話発信する際に、ＩＲ通信部１４またはＢｌｕｅｔｏｏｔｈ通信部１５により予め取得された識別情報（電話番号）に基づいて電話通信部１２を用いて操作側携帯電話機２００に対して電話発信する制御を行うように構成することによって、カメラ側携帯電話機１００から操作側携帯電話機２００に電話発信する（ダイヤルをかける）際に、ＩＲ通信部１４またはＢｌｕｅｔｏｏｔｈ通信部１５により予め取得された識別情報（電話番号など）に基づいて電話発信することができるので、ユーザ４０がカメラ側携帯電話機１００に対して手動で電話発信操作を行う必要がない分、ユーザ操作に負担が掛かるのを抑制することができる。
【００６１】
（第２実施形態）
図２および図３を参照して、第２実施形態について説明する。この第２実施形態では、上記第１実施形態と異なり、操作側携帯電話機２００から送信される所定の音声信号またはトーン信号に基づいて、カメラ側携帯電話機１００に撮像を行わせるように構成した例について説明する。
【００６２】
ここで、第２実施形態では、図２に示すように、不揮発性メモリ１６には、電話帳記憶部１６ａに加えて、音声パターン記憶部１６ｂおよびトーン信号記憶部１６ｃが設けられている。音声パターン記憶部１６ｂは、所定の音量および所定の音声パターンの「撮像用音声信号」を記憶するように構成されている。この音声パターンは、写真撮影の際に使用される掛け声（たとえば、特定の音量の「ハイ、ポーズ」という掛け声）などを含んでいる。また、トーン信号記憶部１６ｃは、所定の複数のトーン信号の組み合わせからなる「撮像用トーン信号」を記憶するように構成されている。なお、「撮像用音声信号」および「撮像用トーン信号」は、それぞれ、本発明の「第１音声信号」および「第１トーン信号」の一例である。また、音声パターン記憶部１６ｂおよびトーン信号記憶部１６ｃは、それぞれ、本発明の「記憶部」の一例である。
【００６３】
ここで、トーン信号は、ＤＴＭＦ（Ｄｕａｌ−Ｔｏｎｅ  Ｍｕｌｔｉ−Ｆｒｅｑｕｅｎｃｙ）方式によって生成される信号である。このトーン信号は、互いに周波数の異なる４種類の音からなる高群（高音群）に含まれる１音と、互いに周波数の異なる４種類の音からなる低群（低音群）に含まれる１音とが組み合わされた合成音であり、高群４種類×低群４種類＝１６種類の信号が生成されるように構成されている。通常、この１６種類トーン信号は、「０」〜「９」、「＊」および「＃」の１２種類のダイヤルボタン１７ｃ（操作側携帯電話機２００ではダイヤルボタン２６ｃ）の各々と対応付けて用いられる。トーン信号記憶部１６ｃは、このトーン信号を用いて、たとえばダイヤルボタンの「１」、「３」、「１」に対応する３つのトーン信号の組み合わせ（「撮像用トーン信号」）を記憶するように構成されている。なお、これらの「撮像用音声信号」（音声パターン）および「撮像用トーン信号」（トーン信号の組み合わせ）は、カメラ側携帯電話機１００において予め登録可能であるように構成されている。
【００６４】
すなわち、第２実施形態では、電話着信された操作側携帯電話機２００とカメラ側携帯電話機１００との通話状態が確立された状態で、ユーザ４０が、操作側携帯電話機２００のマイク２９（図３参照）に対する発声か、または、ダイヤルボタン２６ｃ（図３参照）を押下する操作を行った場合に、カメラ側携帯電話機１００のＣＰＵ１１（図２参照）が、「撮像用音声信号」または「撮像用トーン信号」に基づいて、撮像部１３（図２参照）のシャッタを切る制御を行うように構成されている。なお、マイク２９に対する発声、および、ダイヤルボタン２６ｃを押下する操作は、本発明の「第１の操作」および「所定の操作」の一例である。
【００６５】
次に、図１〜図６を参照して、本発明の第２実施形態による「リモート撮影モード」におけるカメラ側携帯電話機１００の撮像動作の制御フローの詳細を説明する。
【００６６】
まず、図６に示すように、ステップＳ２１において、ユーザ４０が選択操作ボタン１７ｄ（図１参照）を操作することにより、カメラ側携帯電話機１００が「リモート撮影モード」に切り換えられて、「リモート撮影モード」が開始される。
【００６７】
次に、ステップＳ２２では、通信先（操作側携帯電話機２００（図３参照））を特定する処理が行われる。すなわち、ＣＰＵ１１（図２参照）により、Ｂｌｕｅｔｏｏｔｈ通信部１５を用いた通信、ＩＲ通信部１４を用いた通信またはユーザ４０が入力部１７を用いてカメラ側携帯電話機１００の不揮発性メモリ１６の電話帳記憶部１６ａ（図２参照）に記憶された電話帳データを検索するなどの方法によって、操作側携帯電話機２００の識別情報が取得される。この際、ＩＲ通信またはＢｌｕｅｔｏｏｔｈによる近距離無線通信が行われる場合には、操作側携帯電話機２００のＣＰＵ２１（図３参照）により、ＩＲ通信部２３（図３参照）を用いた通信接続、または、Ｂｌｕｅｔｏｏｔｈ通信部２４（図３参照）を介して通信接続が行われることにより、識別情報の送受信が実行される。なお、このステップＳ２２の処理は、上記第１実施形態の撮像動作に関する制御フロー（図５参照）のステップＳ２〜Ｓ８までの処理と同様であり、その説明を省略する。
【００６８】
その後、ステップＳ２３において、ＣＰＵ１１により、カメラ側携帯電話機１００から操作側携帯電話機２００に対してダイヤル発信（電話発信）が行われる。そして、ステップＳ２４では、操作側携帯電話機２００との通話が確立されたか否かが判断される。すなわち、カメラ側携帯電話機１００からの着信信号に基づいて、ユーザ４０が操作側携帯電話機２００の通話接続ボタン２６ａを押下した場合、カメラ側携帯電話機１００と操作側携帯電話機２００との通話が確立される。なお、ステップＳ２４以降の処理において操作側携帯電話機２００から通話を切断するまでは、図６に示すように、通話が確立された状態で処理が行われる。
【００６９】
そして、ステップＳ２５では、ＣＰＵ１１により、操作側携帯電話機２００から信号（音声信号またはトーン信号）が受信されたか否かが判断される。受信が確認されない場合には、ステップＳ３１に進む。操作側携帯電話機２００から信号（音声信号またはトーン信号）が受信された場合には、ステップＳ２６に進む。
【００７０】
ステップＳ２６では、ＣＰＵ１１により、受信された信号がトーン信号であるか否かが判断され、トーン信号である場合には、ステップＳ２７に進む。一方、受信された信号がトーン信号以外の音声信号である場合には、ステップＳ２８に進む。
【００７１】
ステップＳ２７では、ＣＰＵ１１により、受信されたトーン信号が解釈される。具体的には、受信されたトーン信号の組み合わせと、不揮発性メモリ１６のトーン信号記憶部１６ｃに登録された「撮像用トーン信号」（たとえば、「１」、「３」、「１」の３つの数字に対応するトーン信号の組み合わせ）とを比較することによってトーン信号が解釈される。
【００７２】
また、受信された信号がトーン信号以外の音声信号である場合には、ステップＳ２８において、ＣＰＵ１１により、受信された音声信号の音声認識が実行される。具体的には、不揮発性メモリ１６の音声パターン記憶部１６ｂに予め登録された「撮像用音声信号」の音量および音声パターン（たとえば、特定の音量の「ハイ、ポーズ」という掛け声）と、受信された音声信号の音量および音声パターンとを比較することによって音声信号が認識される。
【００７３】
ステップＳ２９では、受信したトーン信号（ステップＳ２７の場合）がトーン信号記憶部１６ｃに登録された「撮像用トーン信号」と一致したか、または、受信した音声信号（ステップＳ２８の場合）が音声パターン記憶部１６ｂに登録された「撮像用音声信号」と一致したか否かが判断される。受信した信号（トーン信号または音声信号）が登録された撮像用信号（「撮像用トーン信号」または「撮像用音声信号」）と一致している場合には、ステップＳ３０に進む。一方、受信した信号（トーン信号または音声信号）が登録された撮像用信号（「撮像用トーン信号」または「撮像用音声信号」）と一致しない場合には、ステップＳ３１に進む。
【００７４】
ステップＳ３０では、受信した「撮像用トーン信号」または「撮像用音声信号」に基づき、ＣＰＵ１１により撮像部１３の撮像動作が実行される。これにより、被写体５１（図４参照）が撮像された画像データが不揮発性メモリ１６に保存される。
【００７５】
そして、ステップＳ３１に進み、ＣＰＵ１１により「通話終了信号」が検知されたか否かが判断される。ユーザ４０がそのまま撮像操作を継続したい場合には、操作側携帯電話機２００側で通話を切断することなく再び信号（トーン信号または音声信号）をカメラ側携帯電話機１００に送信することにより、再度ステップＳ２５〜Ｓ３０までの動作が繰り返される。また、ユーザ４０が操作側携帯電話機２００の切断ボタン２６ｂ（図３参照）を押下して通話を切断すれば、ＣＰＵ１１により「通話終了信号」が検知されて、ステップＳ３２に進む。その後、ステップＳ３２において、ＣＰＵ１１により「リモート撮像モード」が解除される。以上により、第２実施形態によるカメラ側携帯電話機１００の「リモート撮影モード」における撮像動作の制御フローが終了する。
【００７６】
第２実施形態では、上記のように、ＣＰＵ１１を、操作側携帯電話機２００から送信された「撮像用音声信号」（たとえば、特定の音量の「ハイ、ポーズ」という掛け声）または「撮像用トーン信号」（たとえば、「１」、「３」、「１」の３つの数字に対応するトーン信号の組み合わせ）の少なくともいずれかに基づいて、撮像部１３の撮像動作を実行するように構成することによって、ユーザ４０が操作側携帯電話機２００のマイク２９を用いて「撮像用音声信号」をカメラ側携帯電話機１００に送信するか、または、ユーザ４０が操作側携帯電話機２００のダイヤルボタン２６ｃを操作して「撮像用トーン信号」をカメラ側携帯電話機１００に送信することにより、「撮像用音声信号」または「撮像用トーン信号」の受信動作をトリガとして、カメラ側携帯電話機１００の撮像部１３に容易に撮像動作を実行させることができる。
【００７７】
また、第２実施形態では、ＣＰＵ１１を、操作側携帯電話機２００から送信された音声信号またはトーン信号の少なくともいずれかが、音声パターン記憶部１６ｂに記憶された「撮像用音声信号」またはトーン信号記憶部１６ｃに記憶された「撮像用トーン信号」の少なくともいずれかに一致した場合に、撮像部１３の撮像動作を実行するように構成することによって、ＣＰＵ１１が音声パターン記憶部１６ｂに記憶された「撮像用音声信号」またはトーン信号記憶部１６ｃに記憶された「撮像用トーン信号」と操作側携帯電話機２００から送信された音声信号またはトーン信号とを比較するだけで、撮像動作を実行するための「撮像用音声信号」または「撮像用トーン信号」を容易に区別した後に、撮像部１３に撮像動作を実行させることができる。
【００７８】
また、第２実施形態では、「撮像用音声信号」を、所定の音声パターンまたは所定の音量に関する信号とすることによって、たとえば操作側携帯電話機２００のマイク２９からユーザ４０が一定以上の音量の音声をカメラ側携帯電話機１００に送信するだけで撮像動作を実行することができる。また、掛け声の音声パターンなどを「撮像用音声信号」とする場合には、ユーザ４０が撮像したいタイミングに合わせて所定の掛け声の音声（「撮像用音声信号」）を操作側携帯電話機２００からカメラ側携帯電話機１００に送信することによって、ユーザ４０が撮像したいタイミングでカメラ側携帯電話機１００に撮像動作を実行させることができる。
【００７９】
また、第２実施形態では、所定の音声パターンを、「ハイ、ポーズ」などの写真撮像に関する掛け声の音声パターンとすることによって、集合写真などを撮像する際に被写体５１となる人々に対しても撮像のタイミングを容易に認識させることができる。
【００８０】
また、第２実施形態では、「撮像用トーン信号」を、複数のトーン信号の所定の組み合わせ（たとえばダイヤルボタンの「１」、「３」、「１」の組み合わせ）とすることによって、「撮像用トーン信号」と一致する組み合わせのトーン信号が操作側携帯電話機２００からカメラ側携帯電話機１００に送信された場合に撮像動作を実行することができる。これにより、単一のダイヤルボタン２６ｃの入力によって撮像動作を実行させる場合と異なり、誤ってダイヤルボタン２６ｃを入力することに起因したユーザ４０の意図しないタイミングでの撮像動作などを抑制することができる。
【００８１】
（第２実施形態の変形例）
まず、図１、図４、図７および図８を参照して、第２実施形態の変形例について説明する。この第２実施形態の変形例では、上記第２実施形態と異なり、操作側携帯電話機２００からの所定の音声信号または所定のトーン信号に基づいてカメラ側携帯電話機１００が撮像を行うように構成した上記第２実施形態に加えて、操作側携帯電話機２００からの別な所定の音声信号または所定のトーン信号に基づいて、カメラ側携帯電話機３００からプレビュー画像の送信および撮像範囲の指定を受け付けるように構成した例について説明する。なお、カメラ側携帯電話機３００は、本発明の「携帯電話機」および「撮像側携帯電話機」の一例である。
【００８２】
第２実施形態の変形例によるカメラ側携帯電話機３００は、図７に示すように、ＣＰＵ３１１と、電話通信部１２と、撮像部１３と、ＩＲ通信部１４と、Ｂｌｕｅｔｏｏｔｈ通信部１５と、不揮発性メモリ３１６と、入力部１７と、表示部１８と、スピーカ１９と、マイク２０とを備えている。なお、カメラ側携帯電話機３００において、上記第１実施形態によるカメラ側携帯電話機１００と同一の構成を有する部分には、同一の符号を用いた。また、ＣＰＵ３１１は、本発明の「制御部」の一例である。
【００８３】
ここで、第２実施形態の変形例では、カメラ側携帯電話機３００は、操作側携帯電話機２００から送信される複数の異なる音声信号またはトーン信号に基づいて、撮像動作とプレビュー撮像動作とを行うことが可能なように構成されている。
【００８４】
すなわち、第２実施形態の変形例では、図７に示すように、不揮発性メモリ３１６には、「撮像用音声信号」を記憶する音声パターン記憶部１６ｂおよび「撮像用トーン信号」を記憶するトーン信号記憶部１６ｃに加えて、プレビュー用音声パターン記憶部３１６ａおよびプレビュー用トーン信号記憶部３１６ｂが設けられている。
【００８５】
プレビュー用音声パターン記憶部３１６ａは、「撮像用音声信号」（たとえば、特定の音量の「ハイ、ポーズ」という掛け声）とは異なる音量および音声パターンを有する「プレビュー用音声信号」を記憶するように構成されている。また、プレビュー用トーン信号記憶部３１６ｂは、「撮像用トーン信号」（たとえば、「１」、「３」、「１」に対応するトーン信号）とは異なるトーン信号の組み合わせからなる「プレビュー用トーン信号」を記憶するように構成されている。これらの「プレビュー用音声信号」（音声パターン）および「プレビュー用トーン信号」（トーン信号の組み合わせ）は、ユーザ４０によりカメラ側携帯電話機３００に予め登録されるように構成されている。なお、「プレビュー用音声信号」および「プレビュー用トーン信号」は、それぞれ、本発明の「第２音声信号」および「第２トーン信号」の一例である。
【００８６】
また、第２実施形態の変形例では、ＣＰＵ３１１は、操作側携帯電話機２００から送信された音声パターンが不揮発性メモリ３１６のプレビュー用音声パターン記憶部３１６ａに記憶された音声パターン（「プレビュー用音声信号」）と一致するか、または、操作側携帯電話機２００から送信されたトーン信号がプレビュー用トーン信号記憶部３１６ｂに記憶されたトーン信号の組み合わせ（「プレビュー用トーン信号」）と一致する場合には、後述する撮像部１３のプレビュー撮像動作を行うように構成されている。そして、ＣＰＵ３１１は、撮像されたプレビュー画像３５０（図８参照）の画像データを圧縮して操作側携帯電話機２００に送信するように構成されている。なお、プレビュー画像３５０は、本発明の「試写画像」の一例である。
【００８７】
ここで、プレビュー撮像動作とは、撮像用信号（「撮像用音声信号」または「撮像用トーン信号」）に基づいて撮像動作を実行する際の画素数（たとえば、２０４８×１５３６画素（約３００万画素））よりも少ない画素数（たとえば、１２８０×７６８画素（約１００万画素））で撮像を行う撮像動作である。また、画素数を減じる方法としては、たとえば、撮像部１３により撮像された画像の画素（上述の２０４８×１５３６画素）を所定のパターンで間引く方法や、撮像部１３により撮像された画像の画素毎に、近傍画素の画素値を加重平均する方法などが用いられる。このプレビュー撮像動作においては、ＣＰＵ３１１は、動画または静止画のいずれかのプレビュー画像３５０の撮像を実行するように構成されている。
【００８８】
また、プレビュー撮像動作において動画のプレビュー画像３５０を撮像する場合には、ＣＰＵ３１１は、プレビュー撮像動作によって取得された動画を所定の圧縮方式（Ｍｐｅｇなど）によって圧縮するとともに、電話通信部１２を用いたテレビ電話通信によって操作側携帯電話機２００にプレビュー画像３５０を送信するように構成されている。また、プレビュー撮像動作において静止画のプレビュー画像３５０を撮像する場合には、ＣＰＵ３１１は、プレビュー撮像動作によって取得された静止画を所定の圧縮方式（Ｊｐｅｇなど）によって圧縮するとともに、電話通信部１２を用いてデータ通信（電子メールなど）によって操作側携帯電話機２００にプレビュー画像３５０を送信するように構成されている。この場合、ＣＰＵ３１１は、間欠的に静止画（プレビュー画像３５０）の撮像を実行するとともに、継続して操作側携帯電話機２００に送信するように構成されている。
【００８９】
また、図８に示すように、ＣＰＵ３１１は、プレビュー画像３５０に含まれる所定の撮像範囲３５１（一点鎖線で囲まれた領域）を示す「撮像範囲情報」を電話通信部１２（図７参照）を介して操作側携帯電話機２００（図４参照）から受信するように構成されている。そして、ＣＰＵ３１１は、受信した「撮像範囲情報」に基づき、最終的に「撮像用音声信号」または「撮像用トーン信号」に基づいて撮像される際の撮像範囲を設定する制御を行うように構成されている。この結果、図９に示すように、「撮像用音声信号」または「撮像用トーン信号」に基づいて撮像される撮像画像３６０の撮像範囲が、撮像範囲３５１に合致した状態で撮像されるように構成されている。第２実施形態の変形例では、このように、撮像画像３６０を撮像する際の撮像範囲（図８の撮像範囲３５１）を、ユーザ４０がプレビュー画像３５０を見ながら選択することが可能である。なお、「撮像範囲情報」は、本発明の「撮像範囲に関する情報」の一例である。
【００９０】
また、第２実施形態の変形例では、操作側携帯電話機２００は、カメラ側携帯電話機３００から受信したプレビュー画像３５０（図８参照）を表示部２７（図１参照）に表示するように構成されている。この際、ユーザ４０が表示部２７に表示されたプレビュー画像３５０から選択操作ボタン２６ｄ（図１参照）などを用いて撮像範囲３５１を選択すると、操作側携帯電話機２００のＣＰＵ２１は、「撮像範囲情報」を生成するとともに、トーン信号により送信されるように構成されている。この「撮像範囲情報」は、たとえば、撮像範囲３５１の対角の座標情報などによって構成されている。なお、第２実施形態の変形例のその他の構成は、上記第１実施形態と同様である。
【００９１】
次に、図２、図３、図５および図７〜図１１を参照して、本発明の第２実施形態の変形例によるリモート撮像モードにおけるカメラ側携帯電話機３００の制御フローについて説明する。
【００９２】
まず、図１０に示すように、ステップＳ５１において、ユーザ４０が入力部１７（図７参照）を操作することにより、カメラ側携帯電話機３００が「リモート撮影モード」に切り換えられて、「リモート撮影モード」が開始される。
【００９３】
次に、ステップＳ５２では、通信先（操作側携帯電話機２００）を特定する処理が行われる。すなわち、ＣＰＵ３１１により、Ｂｌｕｅｔｏｏｔｈ通信部１５を用いた通信、ＩＲ通信部１４を用いた通信またはユーザ４０が入力部１７を用いてカメラ側携帯電話機３００の不揮発性メモリ３１６に記憶されたデータ（電話帳データ）を検索するなどの方法によって、操作側携帯電話機２００の識別情報が取得される。この際、ＩＲ通信またはＢｌｕｅｔｏｏｔｈによる近距離無線通信が行われる場合には、操作側携帯電話機２００のＣＰＵ２１により、ＩＲ通信部２３を用いた通信接続、または、Ｂｌｕｅｔｏｏｔｈ通信部２４を介して通信接続が行われることにより、識別情報の送受信が実行される。なお、このステップＳ５２の処理は、上記第１実施形態の撮像動作に関する制御フロー（図５参照）におけるステップＳ２〜Ｓ８までの処理と同様であり、その説明を省略する。
【００９４】
その後、ステップＳ５３において、ＣＰＵ３１１により、カメラ側携帯電話機３００から操作側携帯電話機２００に対してダイヤル発信（電話発信）が行われる。そして、ステップＳ５４では、操作側携帯電話機２００との通話が確立されたか否かが判断される。すなわち、カメラ側携帯電話機３００からの着信信号に基づいて、ユーザ４０が操作側携帯電話機２００の通話接続ボタン２６ａを押下した場合、カメラ側携帯電話機３００と操作側携帯電話機２００との通話が確立される。なお、ステップＳ５４以降の処理において操作側携帯電話機２００から通話を切断するまでは、図１０に示すように、通話が確立された状態で処理が行われる。
【００９５】
ここで、第２実施形態の変形例では、次のステップＳ５５において、カメラ側携帯電話機３００と操作側携帯電話機２００との通話を確立した状態のまま、操作側携帯電話機２００から送信される音声信号およびトーン信号に基づいて、撮像動作やプレビュー撮像動作などを行う撮像制御処理が行われる。以下、図１１を参照して、ステップＳ５５における撮像制御処理の詳細を説明する。なお、図１１では、携帯電話機間の通信を説明するために、カメラ側携帯電話機３００の制御フローに加えて、操作側携帯電話機２００の制御フローについても示した。
【００９６】
すなわち、図１１に示すように、ステップＳ７１において、カメラ側携帯電話機３００のＣＰＵ３１１（図７参照）により、操作側携帯電話機２００から信号（音声信号またはトーン信号）が受信されたか否かが判断される。受信が確認されない場合には、このステップＳ７１の判断を繰り返すことにより、操作側携帯電話機２００からの信号を待ち受ける。
【００９７】
一方、操作側携帯電話機２００側では、ステップＳ９１において、ＣＰＵ２１（図３参照）によりプレビュー撮像の指示の有無が判断される。ユーザ４０がマイク２９（図３参照）を介して「プレビュー用音声信号」を入力（発声）する操作を行うか、または、ユーザ４０が「プレビュー用トーン信号」に対応するダイヤルボタン２６ｃの組み合わせを押下する操作を行うと、ステップＳ９２に進み、入力された音声信号またはトーン信号が電話通信部２２（図３参照）を介してカメラ側携帯電話機３００に対して送信される。なお、プレビュー用信号（「プレビュー用トーン信号」または「プレビュー用音声信号」）が入力されない場合には、ステップＳ９７に進む。なお、「プレビュー用音声信号」を入力（発声）する操作、および、ダイヤルボタン２６ｃの組み合わせを押下する操作は、本発明の「第２の操作」の一例である。
【００９８】
操作側携帯電話機２００から送信された信号がカメラ側携帯電話機３００により受信されると、ステップＳ７２に進み、カメラ側携帯電話機３００のＣＰＵ３１１により、受信された信号がトーン信号であるか否かが判断される。受信された信号がトーン信号である場合には、ステップＳ７３に進む。一方、受信された信号がトーン信号以外の音声信号である場合には、ステップＳ７４に進む。
【００９９】
ステップＳ７３では、ＣＰＵ３１１により、受信されたトーン信号が解釈される。具体的には、受信されたトーン信号の組み合わせと、不揮発性メモリ３１６のトーン信号記憶部１６ｃに登録された「撮像用トーン信号」およびプレビュー用トーン信号記憶部３１６ｂに登録された「プレビュー用トーン信号」とを比較することによってトーン信号が解釈される。
【０１００】
受信された信号がトーン信号以外の音声信号である場合には、ステップＳ７４において、ＣＰＵ３１１により、受信された音声信号の音声認識が実行される。具体的には、不揮発性メモリ３１６の音声パターン記憶部１６ｂに登録された「撮像用音声信号」およびプレビュー用音声パターン記憶部３１６ａに記憶された「プレビュー用音声信号」と、受信された音声信号の音量および音声パターンとを比較することによって音声信号が認識される。
【０１０１】
ステップＳ７５では、受信したトーン信号（ステップＳ７３の場合）がプレビュー用トーン信号記憶部３１６ｂに登録された「プレビュー用トーン信号」と一致したか、または、受信した音声信号（ステップＳ７４の場合）がプレビュー用音声パターン記憶部３１６ａに記憶された「プレビュー用音声信号」と一致したか否かが判断される。受信した信号（トーン信号または音声信号）が登録されたプレビュー用信号（「プレビュー用トーン信号」または「プレビュー用音声信号」）と一致している場合には、ステップＳ７６に進む。一方、受信した信号（トーン信号または音声信号）が登録されたプレビュー用信号（「プレビュー用トーン信号」または「プレビュー用音声信号」）と一致しない場合には、ステップＳ７８に進む。
【０１０２】
ステップＳ７６では、受信したプレビュー用信号（「プレビュー用トーン信号」または「プレビュー用音声信号」）に基づいて、ＣＰＵ３１１によりプレビュー撮像動作が実行される。これにより、動画または静止画のプレビュー画像３５０（図８参照）が撮像部１３（図２桟賞）により撮像される。そして、ステップＳ７７において、撮像されたプレビュー画像３５０が電話通信部１２を介して操作側携帯電話機２００へ送信される。この際、プレビュー画像３５０が動画である場合には、ＣＰＵ３１１によりプレビュー画像３５０が所定の圧縮方式（Ｍｐｅｇなど）により圧縮されるとともに、テレビ電話通信によってプレビュー画像３５０が操作側携帯電話機２００に送信される。一方、プレビュー画像３５０が静止画である場合には、ＣＰＵ３１１によりプレビュー画像３５０が所定の圧縮方式（Ｊｐｅｇなど）により圧縮されるとともに、データ通信（電子メールなど）によってプレビュー画像３５０が操作側携帯電話機２００に送信される。
【０１０３】
なお、プレビュー画像３５０の送信が行われると、後述するステップＳ７８およびステップＳ８０でそれぞれＣＰＵ３１１によって「Ｎｏ」と判断されることにより、ステップＳ７１に戻る。
【０１０４】
一方、プレビュー画像３５０が操作側携帯電話機２００に送信されると、ステップＳ９３において、操作側携帯電話機２００の電話通信部２２によってプレビュー画像３５０受信される。そして、ステップＳ９４において、受信したプレビュー画像３５０（図８参照）がＣＰＵ２１によって表示部２７に表示される。
【０１０５】
ステップＳ９５では、操作側携帯電話機２００のＣＰＵ２１によって、撮像範囲３５１が指定されたか否かが判断される。図８に示すように、操作側携帯電話機２００のカーソルボタン２６ｃなどを用いて、ユーザ４０により撮像範囲３５１が指定されると、ステップＳ９６へ進む。一方、撮像範囲３５１が指定されない場合には、ステップＳ９７に進む。
【０１０６】
ステップＳ９６では、ＣＰＵ２１により、撮像範囲３５１の対角の座標情報などの「撮像範囲情報」が生成されるとともに、電話通信部２２を用いてトーン信号により「撮像範囲情報」がカメラ側携帯電話機３００に対して送信される。
【０１０７】
「撮像範囲情報」がカメラ側携帯電話機３００により受信されると、ステップＳ７８に進む。すなわち、再度ステップＳ７１でＣＰＵ３１１により信号が受信されたと判断され、ステップＳ７３を経てステップＳ７５に進む。そして、ステップＳ７５でＣＰＵ３１１によりプレビュー用信号ではない（Ｎｏ）と判断されることにより、ステップＳ７８に進む。ステップＳ７８では、ＣＰＵ３１１により、「撮像範囲情報」が含まれるか否かが判断される。そして、受信したトーン信号に「撮像範囲情報」が含まれる場合には、ステップＳ７９に進む。なお、受信したトーン信号に「撮像範囲情報」が含まれない場合には、ステップＳ８０に進む。
【０１０８】
ステップＳ７９では、受信した「撮像範囲情報」に基づき、ＣＰＵ３１１により、「撮像用音声信号」または「撮像用トーン信号」に基づいて撮像動作を実行する際の撮像範囲３５１が設定される。具体的には、図８に示すように、撮像画像３６０の撮像範囲がユーザ４０により指定された撮像範囲３５１に一致するように調整される。なお、撮像範囲３５１が設定されると、後述するステップＳ８０に進み、ＣＰＵ３１１により「Ｎｏ」と判断されることにより、再度ステップＳ７１に戻る。
【０１０９】
その後、操作側携帯電話機２００側では、ステップＳ９７において、ＣＰＵ２１により撮像動作の指示の有無が判断される。ユーザ４０がマイク２９を介して「撮像用音声信号」を入力（発声）するか、ユーザ４０が「撮像用トーン信号」に対応するダイヤルボタン２６ｃの組み合わせを押下すると、ステップＳ９８に進み、入力された音声信号またはトーン信号が電話通信部２２を介してカメラ側携帯電話機３００に対して送信される。ステップＳ９８で音声信号またはトーン信号がカメラ側携帯電話機３００に対して送信されるか、ステップＳ９７において撮像用信号（「撮像用音声信号」または「撮像用トーン信号」）がユーザ４０により入力されない場合には、操作側携帯電話機２００側の撮像制御処理が終了される。
【０１１０】
撮像用信号（「撮像用音声信号」または「撮像用トーン信号」）がカメラ側携帯電話機３００により受信されると、再度ステップＳ７１でＣＰＵ３１１により信号が受信されたと判断され、ステップＳ８０に進む。すなわち、ステップＳ７３（「撮像用トーン信号」の場合）またはステップＳ７４（「撮像用音声信号」の場合）を経るとともに、ステップＳ７５でＣＰＵ３１１によりプレビュー撮像信号ではない（Ｎｏ）と判断されることにより、ステップＳ７８に進む。さらに、ステップＳ７８でＣＰＵ３１１により「撮像範囲情報」ではない（Ｎｏ）と判断されることにより、ステップＳ８０に進む。
【０１１１】
ステップＳ８０では、受信したトーン信号（ステップＳ７３を経た場合）がトーン信号記憶部１６ｃに登録された「撮像用トーン信号」と一致したか、または、受信した音声信号（ステップＳ７４を経た場合）が音声パターン記憶部１６ｂに記憶された「撮像用音声信号」と一致したか否かが判断される。受信した信号（トーン信号または音声信号）が登録された撮像用信号（「撮像用トーン信号」または「撮像用音声信号」）と一致している場合には、ステップＳ８１に進む。一方、受信した信号（トーン信号または音声信号）が登録された撮像用信号（「撮像用トーン信号」または「撮像用音声信号」）と一致しない場合には、ステップＳ７１に戻る。
【０１１２】
ステップＳ８１では、受信した撮像用信号（「撮像用トーン信号」または「撮像用音声信号」）に基づき、ＣＰＵ３１１により、撮像部１３の撮像動作が実行される。この際、「撮像範囲情報」に基づいて撮像範囲３５１が設定されている場合には、この撮像範囲３５１に合致した撮像画像３６０（図９参照）が撮像部１３により撮像される。これにより、被写体５１（図９参照）が撮像された画像データが不揮発性メモリ３１６に保存される。なお、この撮像画像３６０は、プレビュー画像３５０と異なり画素数を減少させることなく撮像される。その後、ＣＰＵ３１１により撮像動作が実行されると、撮像制御処理が終了して、図１０のステップＳ５５以降の処理に戻る。
【０１１３】
そして、ステップＳ５６に進み、ＣＰＵ３１１により「通話終了信号」が検知されたか否かが判断される。ユーザ４０がそのまま撮像操作を継続したい場合には、操作側携帯電話機２００側で通話を切断することなく再び信号（トーン信号または音声信号）をカメラ側携帯電話機３００に送信することにより、再度ステップＳ５５の処理が繰り返される。また、ユーザ４０が操作側携帯電話機２００の切断ボタン２６ｂを押下して通話を切断すれば、ＣＰＵ３１１により「通話終了信号」が検知されて、ステップＳ５７に進む。その後、ステップＳ５７において、ＣＰＵ３１１により「リモート撮像モード」が解除される。
【０１１４】
以上により、第２実施形態の変形例によるカメラ側携帯電話機３００の「リモート撮影モード」における撮像動作の制御フローが終了する。
【０１１５】
第２実施形態の変形例では、上記のように、ＣＰＵ３１１を、「撮像用音声信号」とは異なる「プレビュー用音声信号」または「撮像用トーン信号」とは異なる「プレビュー用トーン信号」を受信すると、撮像部１３により撮像動作を実行する前にプレビュー画像３５０を撮像するとともに、操作側携帯電話機２００に対して撮像したプレビュー画像３５０を送信するように構成することによって、撮像用信号（「撮像用音声信号」または「撮像用トーン信号」）に基づく撮像動作を実行する前に、前もってプレビュー画像３５０を操作側携帯電話機２００の側で受信することができるので、ユーザ４０がこのプレビュー画像３５０を表示部２７に表示して確認しながら、カメラ側携帯電話機３００（撮像部１３）または被写体５１の位置および角度などの微調整を行うことができる。
【０１１６】
また、第２実施形態の変形例では、ＣＰＵ３１１を、「プレビュー用音声信号」または「プレビュー用トーン信号」を受信した場合において、「撮像用音声信号」または「撮像用トーン信号」に基づいて撮像動作を実行する際の画素数画素数（たとえば、２０４８×１５３６画素（約３００万画素））よりも少ない画素数（たとえば、１２８０×７６８画素（約１００万画素））でプレビュー画像３５０を撮像するとともに、撮像したプレビュー画像３５０のデータを圧縮（ＭｐｅｇまたはＪｐｅｇなど）した状態で操作側携帯電話機２００に対して送信するように構成することによって、プレビュー画像３５０のデータ量を少なくすることができるので、データ送信に要する時間を短くすることができる。これにより、撮影前のプレビュー画像３５０を用いた確認および微調整作業を円滑に行うことができる。
【０１１７】
また、第２実施形態の変形例では、ＣＰＵ３１１を、プレビュー画像３５０に含まれる撮像範囲３５１を示す「撮像範囲情報」を電話通信部１２を介して操作側携帯電話機２００から受信するとともに、「撮像範囲情報」に基づき、「撮像用音声信号」または「撮像用トーン信号」に基づいて撮像動作を実行する際の撮像範囲を設定するように構成することによって、ユーザ４０がプレビュー画像３５０から撮像したい領域（撮像範囲３５１）を操作側携帯電話機２００から指定した後、この撮像範囲３５１に基づいて「撮像範囲情報」をカメラ側携帯電話機３００に送信することができるので、「撮像用音声信号」または「撮像用トーン信号」に基づいて撮像動作を実行する際に、ユーザ４０が所望する撮像範囲３５１のみを撮像することができる。
【０１１８】
また、第２実施形態の変形例では、ＣＰＵ３１１を、操作側携帯電話機２００からの「プレビュー用音声信号」または「プレビュー用トーン信号」の少なくともいずれかに基づいて、撮像部１３により撮像動作を実行する前にプレビュー画像３５０を撮像するとともに、操作側携帯電話機２００に対して撮像されたプレビュー画像３５０を送信する制御を行うように構成することによって、「撮像用音声信号」とは異なる「プレビュー用音声信号」、または、「撮像用トーン信号」とは異なる「プレビュー用トーン信号」の少なくともいずれかを用いて、容易にプレビュー画像３５０を操作側携帯電話機２００側で取得することができる。なお、第２実施形態の変形例その他の効果は、上記第１実施形態と同様である。
【０１１９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１２０】
たとえば、上記第１、第２実施形態およびその変形例では、通話状態において、ユーザ４０による操作側携帯電話機２００の切断ボタン２６ｂを押下する操作や、操作側携帯電話機２００のマイク２９に対する発声またはダイヤルボタン２６ｃを押下してトーン信号を発生させる操作をトリガとして、カメラ側携帯電話機１００（３００）に撮像動作を実行させるように構成した例を示したが、本発明はこれに限られない。たとえば、操作側携帯電話機に内蔵された加速度センサなどを使用して、ユーザ４０が操作側携帯電話機を所定の方向にすばやく振る（傾ける）動作をトリガとして、カメラ側携帯電話機に撮像動作を実行させるように構成してもよい。
【０１２１】
また、上記第２実施形態およびその変形例では、カメラ側携帯電話機１００（３００）のＣＰＵ１１（３１１）を、「撮像用音声信号」または「撮像用トーン信号」に基づいて撮像部１３の撮像動作を実行するように構成した例を示したが、本発明はこれに限られない。制御部は、第１音声信号および第１トーン信号の両方を組み合わせた信号に基づいて撮像動作を実行するように構成してもよい。
【０１２２】
また、上記第２実施形態およびその変形例では、カメラ側携帯電話機１００（３００）のＣＰＵ１１（３１１）を、所定の音量および所定の音声パターンの「撮像用音声信号」に基づいて撮像部１３の撮像動作を実行するように構成した例を示したが、本発明はこれに限られない。すなわち、制御部が、第１音声信号として所定の音量のみ、または所定の音声パターンのみに基づいて撮像動作を実行するように構成されていてもよい。
【０１２３】
また、上記第２実施形態およびその変形例では、「撮像用音声信号」の音声パターンを、写真撮影の際に使用される掛け声（たとえば、特定の音量の「ハイ、ポーズ」という掛け声）とした例を示したが、本発明はこれに限られない。第１音声信号の音声パターンは、写真撮影の際に使用される掛け声以外の掛け声や、その他の合図の音声パターンでもよい。
【０１２４】
また、上記第２実施形態およびその変形例では、「撮像用トーン信号」を所定の複数（３つ）のトーン信号の組み合わせとした例を示したが、本発明はこれに限られない。第１トーン信号は、単一のトーン信号としてもよい。また、第１トーン信号を、２つまたは４つ以上のトーン信号の組み合わせとして構成してもよい。
【０１２５】
また、上記第１、第２実施形態およびその変形例では、カメラ側携帯電話機１００（３００）に操作側携帯電話機２００と無線電話通信とは異なる無線通信を行うＩＲ通信部１４およびＢｌｕｅｔｏｏｔｈ通信部１５を設けた例を示したが、本発明はこれに限られない。すなわち、本発明の「第２通信部」を設けることなく、操作者が手動で操作側携帯電話機の識別情報を検索または入力するように構成してもよい。また、本発明の「第２通信部」として、赤外線通信およびＢｌｕｅｔｏｏｔｈ規格に基づく短距離無線通信以外の無線通信を行う通信部を設けてもよい。たとえば、いわゆる非接触ＩＣカードなどに用いられる近距離無線通信を行う通信部を設けてもよい。
【０１２６】
また、上記第２実施形態の変形例では、通話状態において、ユーザ４０による操作側携帯電話機２００から「プレビュー用音声信号」または「プレビュー用トーン信号」を送信することにより、カメラ側携帯電話機３００に対してプレビュー撮像動作を行わせるように構成した例を示したが、本発明はこれに限られない。ユーザ４０が、上記した音声信号やトーン信号以外の信号を発生させるような操作を行うことによって、カメラ側携帯電話機３００に対してプレビュー撮像動作を行わせるように構成してもよい。
【０１２７】
また、上記第２実施形態の変形例では、撮像用信号（「撮像用音声信号」または「撮像用トーン信号」）に基づいて撮像動作を実行する際の画素数よりも少ない画素数を有するプレビュー画像３５０の撮像を行うように構成した例を示したが、本発明はこれに限られない。プレビュー画像３５０の画素数を撮像画像３６０の画素数と同じ画素数で撮像するようにしてもよい。
【０１２８】
また、上記第２実施形態の変形例では、撮像範囲３５１を示す「撮像範囲情報」をトーン信号により送信されるように構成した例を示したが、本発明はこれに限られない。「撮像範囲情報」は、トーン信号以外の音声信号、電子メールを用いたメッセージ、テレビ電話を用いたデータ通信、プッシュ型電子メールであるＳＭＳ（ショートメッセージサービス）を用いたメッセージなどによって送信してもよい。
【０１２９】
また、上記第１、第２実施形態およびその変形例では、ＣＰＵ２１を、押下されたダイヤルボタン２６ｃ（「０」〜「９」、「＊」および「＃」ボタン）に対応するトーン信号を生成し、押下されたダイヤルボタン２６ｃに対応するトーン信号をカメラ側携帯電話機１００（３００）に対して送信するように構成した例を示したが、本発明はこれに限られない。本発明では、ダイヤルボタン入力に伴ってトーン信号が送信される必要はない。つまり、たとえば操作側携帯電話機の不揮発性メモリに「０」〜「９」、「＊」および「＃」ボタンに対応するトーン信号を記憶するとともに、不揮発性メモリに記憶されたトーン信号を組み合わせて再生可能に構成する。そして、操作側携帯電話機とカメラ側携帯電話機との通話が確立された状態で、ユーザによる選択操作ボタンを用いた操作入力に基づいて、操作側携帯電話機の不揮発性メモリに記憶されたトーン信号を組み合わせて「撮像用トーン信号」または「プレビュー用トーン信号」を再生することにより、カメラ側携帯電話機に対してトーン信号（「撮像用トーン信号」または「プレビュー用トーン信号」）を送信するように構成してもよい。
【符号の説明】
【０１３０】
１１、３１１  ＣＰＵ（制御部）
１２  電話通信部（第１通信部）
１３  撮像部
１４  ＩＲ通信部（第２通信部）
１５  Ｂｌｕｅｔｏｏｔｈ通信部（第２通信部）
１６ｂ  音声パターン記憶部（記憶部）
１６ｃ  トーン信号記憶部（記憶部）
４０  ユーザ
１００、３００  カメラ側携帯電話機（携帯電話機、撮像側携帯電話機）
２００  操作側携帯電話機
３５０  プレビュー画像（試写画像）
３５１  撮像範囲
【図１】
2011035716.tif 000003
【図２】
2011035716.tif 000004
【図３】
2011035716.tif 000005
【図４】
2011035716.tif 000006
【図５】
2011035716.tif 000007
【図６】
2011035716.tif 000008
【図７】
2011035716.tif 000009
【図８】
2011035716.tif 000010
【図９】
2011035716.tif 000011
【図１０】
2011035716.tif 000012
【図１１】
2011035716.tif 000013